(57)【要約】      （修正有）【課題】ユーザが実際に装着することなく、ユーザの手首の寸法に適した装着バンドの構成を決定する。【解決手段】バンド構成決定システムは、ユーザが選択した製品本体の情報であって、装着バンド１００の第１のバンド部１０１が取り付けられる第１の取り付け位置５１ｐと、装着バンド１００の第２のバンド部１０２が取り付けられる第２の取り付け位置５２Ｐとの間隔Ｌｐａを含む製品情報を取得する製品情報取得部と、ユーザの手首の寸法を取得する寸法取得部と、手首の寸法に応じた推奨バンド周長Ｈを取得する推奨バンド周長取得手段と、間隔Ｌｐａと、推奨バンド周長とに基づいて、装着バンド１００の構成を決定するバンド構成決定部と、を有する。【選択図】図４
2020177462.tif 000002
【特許請求の範囲】
【請求項１】
ユーザが選択した製品本体の情報であって、装着バンドの第１のバンド部が取り付けられる第１の取り付け位置と、前記装着バンドの第２のバンド部が取り付けられる第２の取り付け位置との間隔を含む製品情報を取得する製品情報取得手段と、
ユーザの手首の寸法を取得する寸法取得手段と、
前記手首の寸法に応じた推奨バンド周長を取得する推奨バンド周長取得手段と、
少なくとも、前記推奨バンド周長と、前記間隔とに基づいて、前記装着バンドの構成を決定する決定手段と、
を有するバンド構成決定システム。
【請求項２】
前記装着バンドは、互いに回動可能に連結される複数の駒を含む前記第１のバンド部及び前記第２のバンド部と、前記第１のバンド部と前記第２のバンド部とを連結すると共に、前記第１のバンド部又は前記第２のバンド部に対する重なり量が可変である連結部材と、を有するものであり、
前記重なり量が最大の場合の前記装着バンドの周長が前記推奨バンド周長よりも短く、かつ、前記重なり量が最小の場合の前記装着バンドの周長が前記推奨バンド周長よりも長くなる、前記駒の数の候補を少なくとも１以上抽出する抽出手段と、
を有し、
前記決定手段は、前記抽出手段により抽出された前記駒の数の候補に基づいて、前記装着バンドの構成を決定する、
請求項１に記載のバンド構成決定システム。
【請求項３】
前記抽出手段が前記駒の数の候補を複数抽出した場合、
前記決定手段は、前記抽出手段により抽出された前記駒の数の候補のうち、最も多い前記駒の数が使用される構成に決定する、
請求項２に記載のバンド構成決定システム。
【請求項４】
前記決定手段は、前記装着バンドの周長が前記推奨バンド周長に最も近い前記重なり量となる構成に決定する、
請求項３に記載のバンド構成決定システム。
【請求項５】
前記決定手段は、少なくとも、前記装着バンドの周長方向における前記製品本体の幅と、前記手首の寸法とに基づいて、前記装着バンドに使用される前記連結部材を決定する、
請求項２〜４のいずれか１項に記載のバンド構成決定システム。
【請求項６】
前記決定手段は、少なくとも、前記推奨バンド周長と、前記間隔と、前記駒が互いに連結される連結位置の間隔とに基づいて、前記装着バンドの構成を決定する、
請求項２〜５のいずれか１項に記載のバンド構成決定システム。
【請求項７】
前記装着バンドは、留め孔が形成される前記第１のバンド部と、前記留め孔に挿通される留めピンが取り付けられる前記第２のバンド部とを有するものであり、
少なくとも、前記推奨バンド周長と、前記間隔とに基づいて、前記装着バンドの周長方向における前記留め孔の位置を取得する孔位置取得部を有する、
請求項１に記載のバンド構成決定システム。
【請求項８】
前記孔位置取得部は、少なくとも、前記推奨バンド周長と、前記間隔と、前記装着バンドの周長方向における前記第２のバンド部の長さに基づいて、前記留め孔の位置を取得する、
請求項７に記載のバンド構成決定システム。
【請求項９】
前記決定手段は、ユーザが選択したデザインに応じて、前記留め孔を含む孔が形成される構成に決定する、
請求項７又は８に記載のバンド構成決定システム。
【請求項１０】
前記装着バンドは、留め孔が形成される前記第１のバンド部と、前記留め孔に挿通される留めピンが取り付けられる前記第２のバンド部とを有するものであり、
前記決定手段は、前記推奨バンド周長と、前記間隔とに基づいて、前記装着バンドの周長方向における第２のバンド部の長さを決定する、
請求項１に記載のバンド構成決定システム。
【請求項１１】
前記決定手段が決定した構成の前記装着バンドが取り付けられる前記製品本体の出荷を、前記製品本体の構成毎の在庫を管理する在庫管理システムに対して指示する出荷指示手段を有する、
請求項１〜１０のいずれか１項に記載のバンド構成決定システム。
【請求項１２】
前記寸法取得手段は、ユーザの指の寸法に関する情報を取得し、
前記推奨バンド周長取得手段は、前記手首の寸法及び前記指の寸法に基づいて、前記推奨バンド周長を取得する、
請求項１〜１１のいずれか１項に記載のバンド構成決定システム。
【請求項１３】
ユーザが選択した製品本体の情報であって、装着バンドの第１のバンド部が取り付けられる第１の取り付け位置と、前記装着バンドの第２のバンド部が取り付けられる第２の取り付け位置との間隔を含む製品情報を取得する製品情報取得手段、
ユーザの手首の寸法を取得する寸法取得手段、
前記手首の寸法に応じた推奨バンド周長を取得する推奨バンド周長取得手段、
少なくとも、前記推奨バンド周長と、前記間隔とに基づいて、前記装着バンドの構成を決定する決定手段、
としてコンピュータを機能させるためのプログラム。
【発明の詳細な説明】
【技術分野】
【０００１】
本発明は、バンド構成決定システム、プログラムに関する。
【背景技術】
【０００２】
近年、インターネットなどを利用したオンライン販売システムが盛んに利用されている。例えば、特許文献１には、複数種類のパーツをユーザが自由に選択し、ユーザの好みに応じた商品（腕時計）を提供するシステムが開示されている。
【先行技術文献】
【特許文献】
【０００３】
【特許文献１】特開２００２−２２２２１５号公報
【発明の概要】
【発明が解決しようとする課題】
【０００４】
ここで、腕時計等に取り付けられる装着バンドは、ユーザの手首の寸法に適した周長であることが好ましい。しかしながら、装着バンドの周長の調整は、ユーザ自身で行うことが困難であるものが少なくない。そのため、オンライン販売等で腕時計を購入する場合、ユーザ自身が容易に周長を調整できる装着バンドが取り付けられる腕時計や、調整が不要な装着バンドが取り付けられる腕時計等、選択できる腕時計が限定的となってしまう。すなわち、選択できる腕時計のデザイン等が限定的となってしまう。
【０００５】
本発明は上記課題に鑑みてなされたものであって、その目的は、ユーザが実際に装着することなく、ユーザの手首の寸法に適した装着バンドの構成を決定することにある。
【課題を解決するための手段】
【０００６】
上記課題を解決すべく本出願において開示される発明は種々の側面を有しており、それら側面の代表的なものの概要は以下の通りである。
【０００７】
（１）ユーザが選択した製品本体の情報であって、装着バンドの第１のバンド部が取り付けられる第１の取り付け位置と、前記装着バンドの第２のバンド部が取り付けられる第２の取り付け位置との間隔 を含む製品情報を取得する製品情報取得手段と、ユーザの手首の寸法を取得する寸法取得手段と、前記手首の寸法に応じた推奨バンド周長を取得する推奨バンド周長取得手段と、少なくとも、前記推奨バンド周長と、前記間隔とに基づいて、前記装着バンドの構成を決定する決定手段と、を有するバンド構成決定システム。
【０００８】
（２）（１）において、前記装着バンドは、互いに回動可能に連結される複数の駒を含む前記第１のバンド部及び前記第２のバンド部と、前記第１のバンド部と前記第２のバンド部とを連結すると共に、前記第１のバンド部又は前記第２のバンド部に対する重なり量が可変である連結部材 と、を有するものであり、前記重なり量が最大の場合の前記装着バンドの周長が前記推奨バンド周長よりも短く、かつ、前記重なり量が最小の場合の前記装着バンドの周長が前記推奨バンド周長よりも長くなる、前記駒の数の候補を少なくとも１以上抽出する抽出手段と、を有し、前記決定手段は、前記抽出手段により抽出された前記駒の数の候補に基づいて、前記装着バンドの構成を決定する、バンド構成決定システム。
【０００９】
（３）（２）において、前記抽出手段が前記駒の数の候補を複数抽出した場合、前記決定手段は、前記抽出手段により抽出された前記駒の数の候補のうち、最も多い前記駒の数が使用される構成に決定する、バンド構成決定システム。
【００１０】
（４）（３）において、前記決定手段は、前記装着バンドの周長が前記推奨バンド周長に最も近い前記重なり量となる構成に決定する、バンド構成決定システム。
【００１１】
（５）（２）〜（４）のいずれかにおいて、前記決定手段は、少なくとも、前記装着バンドの周長方向における前記製品本体の幅と、前記手首の寸法とに基づいて、前記装着バンドに使用される前記連結部材を決定する、バンド構成決定システム。
【００１２】
（６）（２）〜（５）のいずれかにおいて、前記決定手段は、少なくとも、前記推奨バンド周長と、前記間隔と、前記駒が互いに連結される連結位置の間隔とに基づいて、前記装着バンドの構成を決定する、バンド構成決定システム。
【００１３】
（７）（１）において、前記装着バンドは、留め孔が形成される前記第１のバンド部と、前記留め孔に挿通される留めピンが取り付けられる前記第２のバンド部とを有するものであり、少なくとも、前記推奨バンド周長と、前記間隔とに基づいて、前記装着バンドの周長方向における前記留め孔の位置を取得する孔位置取得部を有する、バンド構成決定システム。
【００１４】
（８）（７）において、前記孔位置取得部は、少なくとも、前記推奨バンド周長と、前記間隔と、前記装着バンドの周長方向における前記第２のバンド部の長さに基づいて、前記留め孔の位置を取得する、バンド構成決定システム。
【００１５】
（９）（７）又は（８）において、前記決定手段は、ユーザが選択したデザインに応じて、前記留め孔を含む孔が形成される構成に決定する、バンド構成決定システム。
【００１６】
（１０）（１）において、前記装着バンドは、留め孔が形成される前記第１のバンド部と、前記留め孔に挿通される留めピンが取り付けられる前記第２のバンド部とを有するものであり、前記決定手段は、前記推奨バンド周長と、前記間隔とに基づいて、前記装着バンドの周長方向における第２のバンド部の長さを決定する、バンド構成決定システム。
【００１７】
（１１）（１）〜（１０）のいずれかにおいて、前記決定手段が決定した構成の前記装着バンドが取り付けられる前記製品本体の出荷を、前記製品本体の構成毎の在庫を管理する在庫管理システムに対して指示する出荷指示手段を有する、バンド構成決定システム。
【００１８】
（１２）（１）〜（１１）のいずれかにおいて、前記寸法取得手段は、ユーザの指の寸法に関する情報を取得し、前記推奨バンド周長取得手段は、前記手首の寸法及び前記指の寸法に基づいて、前記推奨バンド周長を取得する、バンド構成決定システム。
【００１９】
（１３）ユーザが選択した製品本体の情報であって、装着バンドの第１のバンド部が取り付けられる第１の取り付け位置と、前記装着バンドの第２のバンド部が取り付けられる第２の取り付け位置との間隔を含む製品情報を取得する製品情報取得手段、ユーザの手首の寸法を取得する寸法取得手段、前記手首の寸法に応じた推奨バンド周長を取得する推奨バンド周長取得手段、少なくとも、前記推奨バンド周長と、前記間隔とに基づいて、前記装着バンドの構成を決定する決定手段、としてコンピュータを機能させるためのプログラム。
【発明の効果】
【００２０】
上記本発明の（１）〜（１３）の側面によれば、ユーザが実際に装着することなく、ユーザの手首の寸法に適した装着バンドの構成を決定することができる。
【図面の簡単な説明】
【００２１】
【図１】第１の実施形態に係るバンド構成決定システムの全体構成の一例を示す図である。
【図２】第１の実施形態におけるユーザ端末の画面の一例を示す図である。
【図３】第１の実施形態におけるバンド構成決定部が実現する機能を示すブロック図である。
【図４】第１の実施形態における腕時計の一例を示す図である。
【図５】第１の実施形態における装着バンドの周長の例を示す図である。
【図６】第１の実施形態におけるサーバが備える製品情報格納部の一例を示す図である。
【図７】第１の実施形態における在庫管理システムが備える在庫情報格納部の一例を示す図である。
【図８】第１の実施形態における腕時計の購入の一例を説明するフローチャートである。
【図９】第１の実施形態における手首の周長の自動計測の一例を示すフローチャートである。
【図１０】第１の実施形態におけるバンド構成決定部による処理フローの一例を示すフローチャートである。
【図１１】第１の実施形態の変形例におけるバンド構成決定部による処理フローの一例を示すフローチャートである。
【図１２】腕時計を装着したユーザの左手首を示す図である。
【図１３】第２の実施形態におけるバンド構成決定部が実現する機能を示すブロック図である。
【図１４】第２の実施形態における腕時計の購入の一例を説明するフローチャートである。
【図１５】ユーザ端末の表示部に表示されるデザイン画の一例を示す図である。
【図１６】ユーザがバンドデザインを形成する様子を示している。
【図１７】第２の実施形態おける装着バンドの構成の例を示す図である。
【図１８】第２の実施形態おける装着バンドの構成の例を示す図である。
【発明を実施するための形態】
【００２２】
以下、本発明の各実施形態について図面に基づき詳細に説明する。
【００２３】
［バンド構成決定システム１の全体構成］
図１は、第１の実施形態に係るバンド構成決定システムの全体構成の一例を示す図である。バンド構成決定システム１は、腕時計のオンライン販売等において、ユーザの手首の寸法に適した装着バンドの構成を決定するシステムである。図１に示すように、バンド構成決定システム１は、ユーザ端末１０と、サーバ２０と、在庫管理システム３０とを含む。ユーザ端末１０とサーバ２０とは、インターネット等のネットワークＮに接続可能である。在庫管理システム３０は、サーバ２０と通信可能であり、腕時計、及び腕時計に取り付けられる装着バンドの在庫の有無や在庫の個数を、腕時計及び装着バンドの型や構成毎に管理している。
【００２４】
［ユーザ端末１０］
ユーザ端末１０は、ユーザが操作するコンピュータである。第１の実施形態においては、ユーザ端末１０としてスマートフォンを例に挙げて説明する。ただし、これに限られるものではなく、ユーザ端末１０は、例えば、スマートフォン以外の携帯電話や、据え置き型パーソナルコンピュータ等であってもよい。
【００２５】
ユーザ端末１０は、制御部１０ａ、記憶部１０ｂ、通信部１０ｃ、操作部１０ｄ、表示部１０ｅを含む。制御部１０ａは、少なくとも一つのマイクロプロセッサを含む。制御部１０ａは、記憶部１０ｂに記憶されたプログラムやデータに従って処理を実行する。記憶部１０ｂは、ＲＡＭ等の揮発性メモリや、ＲＯＭ、フラッシュメモリ、ハードディスクなどの不揮発性メモリを含む。通信部１０ｃは、有線通信又は無線通信用の通信インターフェイスであり、ネットワークＮを介してデータ通信を行う。
【００２６】
操作部１０ｄは、ユーザが操作を行うためのものである。表示部１０ｅは、例えば、液晶ディスプレイや有機ＥＬディスプレイ等であり、制御部１０ａの指示に従って各種画面を表示する。操作部１０ｄと表示部１０ｅは、いわゆるタッチパネルとして一体的に構成されているとよい。この場合、ユーザは、指又はタッチペン等でタッチパネルに接触することによって各種操作を行うことができる。ただし、操作部１０ｄと表示部１０ｅとをタッチパネルとして一体的に構成することは必須ではなく、操作部１０ｄは、例えば、ボタン、キー等のような、表示部１０ｅとは別個に設けられる操作子であってもよい。
【００２７】
図２は、第１の実施形態におけるユーザ端末の画面の一例を示す図である。図２においては、ユーザ端末１０の表示部１０ｅに注文ページが表示された様子を示している。具体的には、複数の製品の中から型番「AB1234-56C」の腕時計が選択されて拡大表示された様子を示している。また、図２においては、ユーザの手首の周長（Sizeとして示す）の入力フォームや、選択された腕時計の価格が表示部１０ｅに表示された様子を示している。
【００２８】
［サーバ２０］
サーバ２０は、サーバコンピュータである。サーバ２０は、制御部２０ａ、記憶部２０ｂ、通信部２０ｃ、バンド構成決定部２０ｄ、出荷指示部２０ｅを含む。
【００２９】
制御部２０ａは、記憶部２０ｂに記憶されたプログラムやデータに従って処理を実行する。記憶部２０ｂは、ＲＡＭ等の揮発性メモリや、ＲＯＭ、フラッシュメモリ、ハードディスクなどの不揮発性メモリを含む。通信部２０ｃは、有線通信又は無線通信用の通信インターフェイスであり、ネットワークＮを介してデータ通信を行う。出荷指示部２０ｅは、バンド構成決定部２０ｄにより決定された構成の装着バンドが取り付けられる腕時計の出荷を、在庫管理システム３０に対して指示する。
【００３０】
図３は、第１の実施形態におけるバンド構成決定部が実現する機能を示すブロック図である。図３に示すように、バンド構成決定部２０ｄは、製品情報取得部２１、バンド情報取得部２２、寸法取得部２３、推奨バンド周長取得部２４、抽出部２５、決定部２６を含む。
【００３１】
製品情報取得部２１は、ユーザが選択した腕時計本体の型を取得する。具体的には、製品情報取得部２１は、後述のケース５０（先カン５１、５２）の間隔Ｌｐａを含む製品情報を取得するとよい。腕時計本体の型は、数字やローマ字からなる番号（型番）に対応付けられている。後述の装着バンドの型や、中留の型なども同様である。
【００３２】
バンド情報取得部２２は、製品情報取得部２１が取得した腕時計本体の型に対応する装着バンドの型を取得する。なお、第１の実施形態においては、腕時計本体の型に対応する型の装着バンドとして、後述の図４で示すように、互いに回動可能に連結される駒を複数含む所謂メタルバンドを例に挙げて説明する。
【００３３】
寸法取得部２３は、ユーザの手首の寸法を取得する。第１の実施形態においては、具体的には、寸法取得部２３は、ユーザの手首の寸法として、ユーザの手首の周長を取得する。推奨バンド周長取得部２４は、寸法取得部２３が取得したユーザの手首の周長に応じた推奨バンド周長を取得する。
【００３４】
抽出部２５は、装着バンドに用いられる駒の数の候補を少なくとも１以上抽出する。決定部２６は、ユーザの手首の寸法に適した装着バンドの構成を決定する。なお、抽出部２５による駒の数の候補の抽出、及び決定部２６による構成の決定の詳細については後述することとする。
【００３５】
［装着バンドの構成］
次に、図４を参照して、第１の実施形態における腕時計１０００の構成の例について説明する。図４は、第１の実施形態における腕時計の一例を示す図である。
【００３６】
腕時計１０００は、腕時計本体と、腕時計本体に取り付けられる装着バンド１００とで構成される。図４においては、腕時計本体の外装であるケース５０を示している。また、図４においては、ケース５０と、１２時側で突出する先カン５１及び６時側で突出する先カン５２とが一体に構成される腕時計本体を示している。
【００３７】
装着バンド１００は、先カン５１の第１の取り付け位置５１ｐに取り付けられる第１のバンド部１０１と、先カン５２の第２の取り付け位置５２ｐに取り付けられる第２のバンド部１０２とを含む。第１のバンド部１０１は、複数の駒６０が互いに回動可能に連結されて構成されている。第２のバンド部１０２も同様に、複数の駒６０が互いに回動可能に連結されて構成されている。なお、駒６０は金属製であるとよい。ただし、これに限られるものではなく、駒６０は、セラミックや樹脂製であっても構わない。
【００３８】
ここで、複数の駒６０のうち、先カン５１、５２に直接取り付けられる駒を、エンドピース６２と呼び、エンドピース６２以外の駒を単に駒６１と呼ぶこととする。エンドピース６２と、駒６１とは、その形状やサイズが同じであってもよいし、異なるものであってもよい。また、複数の駒６１同士も互いに形状やサイズが異なるものであっても構わない。第１の実施形態においては、説明を簡単にするため、図４に示すように、全ての駒６０の連結位置の間隔Ｌｐｃが同じである例について説明することとする。すなわち、図６に示すＬｐａとＥｐｄとは、Ｌｐｃ＝Ｅｐｄの関係であるとする。また、後述のように、本実施形態において、駒６０の数をｎで示す。また、エンドピース６２の数は２であるため、駒６１の数はｎ−２である。
【００３９】
また、装着バンド１００は、第１のバンド部１０１と第２のバンド部１０２とを連結する連結部材としての中留７０を含む。中留７０は、第１のバンド部１０１の先端に位置する駒６０と、第２のバンド部１０２の先端に位置する駒６０とに連結されている。具体的には、第２のバンド部１０２は、図４に示す連結位置７２ｐにおいて中留７０と連結されており、第１のバンド部１０１は、図４に示す調整穴位置Ｈｍ（Ｈ１〜Ｈ４）のいずれかにおいて中留７０と連結されている。なお、図４においては、複数の調整穴位置Ｈｍが等間隔（間隔Ｌｈｄ）で並んで設けられる例について示している。
【００４０】
ここで、ケース５０、駒６０、中留７０は、装着バンド１００の延伸する方向に所定の幅を有しており、その幅は、型毎に異なるものである。すなわち、装着バンド１００の周長は、ケース５０、駒６０、中留７０のサイズによって規定される。より具体的には、装着バンド１００の周長は、ケース５０（先カン５１、５２）の間隔Ｌｐａ、駒６０の連結位置間隔Ｌｐｃ、中留７０の連結位置間隔Ｌｐｍによって規定される。ここで、間隔Ｌｐａは、第１の取り付け位置５１ｐと第２の取り付け位置５２ｐとの間隔である。連結位置間隔Ｌｐｃは、各駒６０の連結位置の間隔である。また、連結位置間隔Ｌｐｍは、連結位置７２ｐと、調整穴位置Ｈｍとの間隔である。図４においては、第１のバンド部１０１が調整穴位置Ｈ４（ｍ＝４）に連結されており、連結位置間隔Ｌｐｍは、連結位置７２ｐと、調整穴位置Ｈ４との間隔である例を示している。
【００４１】
また、装着バンド１００の周長は、駒６０の数ｎ（ｎは１以上の整数）によって調整可能である。例えば、装着バンド１００に使用する駒６０の数ｎを多くすれば、装着バンド１００の周長は長くなり、使用する駒６０の数ｎを少なくすれば、装着バンド１００の周長は短くなる。
【００４２】
また、第１の実施形態においては、装着バンド１００の周長方向における第１のバンド部１０１との重なり量が可変である中留７０を用いた。ユーザは、第１のバンド部１０１に対する中留７０の重なり量を調整することにより、装着バンド１００の周長を微調整することができる。第１のバンド部１０１に対する中留７０の重なり量は、調整穴位置Ｈｍによって規定される。図４においては、調整穴位置Ｈｍが、装着バンド１００の周長方向に並んで４つ設けられる例について示している。すなわち、本例において、ｍ＝１，２，３，４のいずれかである。
【００４３】
例えば、調整穴位置Ｈ４において第１のバンド部１０１を連結した状態において、第１のバンド部１０１に対する中留７０の重なり量は小さくなる。すなわち、装着バンド１００の周長は長くなる。一方、調整穴位置Ｈ１において第１のバンド部１０１を連結した状態において、第１のバンド部１０１に対する中留７０の重なり量は大きくなる。すなわち、装着バンド１００の周長は短くなる。
【００４４】
以上説明したように、同じ型の装着バンド１００であっても、駒６０の数ｎ、及び第１のバンド部１０１に対する中留７０の重なり量を変えることにより、その周長を調整することができる。
【００４５】
なお、ケース５０（先カン５１、５２）に対する駒６０の取り付け、駒６０同士の連結、及び駒６０に対する中留７０の連結は、装着バンド１００の周長方向に直交する方向に延伸するピンをピン穴に差し込むことにより行うとよい。すなわち、ケース５０（先カン５１、５２）の間隔Ｌｐａ、駒６０の連結位置間隔Ｌｐｃ、中留７０の連結位置間隔Ｌｐｍは、それぞれピン穴の間隔であるとよい。
【００４６】
以上説明したことをまとめると、装着バンド１００の周長Ｗは、下記数１に示す式で表すことができる。
【００４７】
【数１】
2020177462.tif 000003
【００４８】
なお、装着バンド１００の周長Wは、取り付け位置及び連結位置におけるピン穴の径の加工精度等によって、若干変動する。上記数１に示す式においては、その変動分を可動偏差として考慮している。σａは第１の取り付け位置５１ｐ及び第２の取り付け位置５２ｐのピン穴に生じる可動偏差であり、σｃは各駒６０の連結位置のピン穴に生じる可動偏差であり、σｄは中留７０の連結位置７２ｐに生じる可動偏差である。
【００４９】
図５は、第１の実施形態における装着バンドの周長の例を示す図である。図５においては、駒６０の数ｎが１０〜１２のいずれかであって、中留７０の調整穴位置ＨｍがＨ１〜Ｈ４のいずれかである装着バンド１００の周長を表している。すなわち、図５においては、１２パターンの装着バンド１００の構成が示されている。図５に示すように、駒６０の数ｎが同じ装着バンド１００であっても、中留７０の調整穴位置Ｈｍに基づく調整量、上述の可動偏差によるずれ量が生じるため、装着バンド１００は周長に幅を有することとなる。具体的には、中留７０の調整穴位置Ｈｍを変更することにより、装着バンド１００の長さを最大で約１ｃｍ程度調整可能となっている。
【００５０】
図６は、第１の実施形態におけるサーバが備える製品情報格納部の一例を示す図である。製品情報格納部２００は、サーバ２０の記憶部２０ｂに含まれているとよい。
【００５１】
なお、図６においては、型「ＡＡＸＸ−ＹＹ」の製品（腕時計本体）の情報について示しているが、製品情報格納部２００は、複数の型の腕時計に関する情報をそれぞれ記憶しているとよい。
【００５２】
図６に示すように、型「ＡＡＸＸ−ＹＹ」の腕時計本体は、型「ＣＡＸＸ−ＹＹ］のケース５０で構成される。また、型「ＡＡＸＸ−ＹＹ」の腕時計本体に対応する装着バンド１００の型は「ＲＲＸＸ−ＹＹ」である。型「ＲＲＸＸ−ＹＹ」の装着バンド１００は、型「ＥＰＸＸ−ＹＹ］のエンドピース６２と、型「ＲＣＸＸ−ＹＹ」の駒６１と、型「ＲＢＸＸ−ＹＹ」の中留７０とで構成される。
【００５３】
また、製品情報格納部２００は、腕時計１０００をその構成（装着バンド１００の周長）毎に管理番号を対応付けて記憶している。具体的には、製品情報格納部２００は、駒６０の数ｎ、調整穴位置Ｈｍ毎に管理番号を対応付けて記憶している。
【００５４】
図６においては、例えば、駒６０の数ｎを９、調整穴位置ＨｍをＨ１とした装着バンド１００が取り付けられる腕時計１０００に対して、管理番号００９１を対応付けている例を示している。また、例えば、駒６０の数ｎを１０、調整穴位置ＨｍをＨ２とした装着バンド１００が取り付けられる腕時計１０００に対して、管理番号０１０２を対応付けている例を示している。
【００５５】
図７は、第１の実施形態における在庫管理システムが備える在庫情報格納部の一例を示す図である。
【００５６】
在庫情報格納部３１には、腕時計の構成毎の在庫数が記憶されている。具体的には、在庫情報格納部３１は、図６で示した管理番号００９１の腕時計の在庫数が２０であることや、管理番号０１５４の腕時計の在庫数が０であること等について記憶している。
【００５７】
また、在庫管理システム３０は、管理番号と対応付けられる既成の腕時計がその構成毎に保管されている倉庫等を含むとよい。そして、出荷指示部２０ｅから出荷指示がされた場合、在庫管理システム３０において、出荷処理や配送処理がなされ、腕時計が倉庫から自動で出荷、搬送されるとよい。
【００５８】
在庫管理システム３０においては、ユーザの手首の平均的な周長に応じた周長の装着バンドの在庫を多く確保しておくとよい。そして、出荷指示がされた場合、直ぐに出荷、配送できる状態にしておくとよい。一方で、ユーザの手首の平均的な周長に応じた周長よりも長い又は短い周長の装着バンドについては、在庫数を限定的にしておき、出荷指示があった後に、組み立てるとよい。また、在庫管理システム３０において、注文履歴を蓄積して記憶してもよい。そして、蓄積された注文履歴に基づいて、注文の多い装着バンドの構成及び注文の少ない装着バンドの構成に関する情報を取得し、注文予測を行うことにより、部品在庫数の最適化を図るとよい。
【００５９】
次に、図８を参照して、第１の実施形態における腕時計の購入のフローの一例について説明する。図８は、第１の実施形態における腕時計の購入の一例を説明するフローチャートである。
【００６０】
ユーザ端末１０は、ユーザによる操作部１０ｄの操作に応じて、腕時計の注文ページの呼び出しを受け付ける（ステップＳ１）。サーバ２０は、ネットワークＮを介して、ユーザ端末１０に注文ページを送信する（ステップＳ２、Ｓ３）。
【００６１】
ユーザ端末１０は、表示部１０ｅに注文ページを表示する（ステップＳ４）。次に、ユーザ端末１０は、ユーザが操作部１０ｄを操作することにより選択した腕時計本体の情報を受け付ける（ステップＳ５）。サーバ２０は、ユーザが選択した腕時計本体の情報を取得する（ステップＳ６）。さらに、サーバ２０は、ユーザ端末１０に手首の周長入力フォームを送信する（ステップＳ７）。
【００６２】
ユーザ端末１０は、手首の周長入力フォームを表示部１０ｅに表示する（ステップＳ８）。ユーザは、操作部１０ｄを操作することにより、自身の手首の周長を、手動で入力するか、自動で計測するかを選択する。ユーザ端末１０は、手首の周長の自動計測の選択を受け付けなかった場合（ステップＳ９のＮＯ）、ユーザの手動による手首の周長の入力を受け付ける（ステップＳ１０）。
【００６３】
一方、ユーザ端末１０は、手首の周長の自動計測の選択を受け付けた場合（ステップＳ９のＹＥＳ）、自動計測処理を行う（ステップＳ１１）。ユーザ端末１０は、手動による手首の周長の入力を受け付けた後、又は自動計測により算出された手首の周長を受け付けた後、サーバ２０に対して、ユーザの手首の周長を送信する（ステップＳ１２）。
【００６４】
ここで、図９を参照して、ユーザの手首の周長の自動計測について説明する。図９は、手首の周長の自動計測の一例を示すフローチャートである。
【００６５】
ユーザ端末１０は、ユーザ端末１０が備える撮影機能を起動し、ユーザの手首周りを撮影することを促すメッセージを表示部１０ｅに表示する（ステップＳ１１１）。ユーザによる手首周りの撮影が完了した後、ユーザ端末１０は、さらに別の角度からユーザの手首周りを撮影することを促すメッセージを表示部１０ｅに表示する（ステップＳ１１２）。ユーザ端末１０は、撮影された２つの画像の情報に基づいて、ユーザの手首の周長を算出する（ステップＳ１１３）。その後、ユーザ端末１０は、算出された手首の周長を、表示部１０ｅに表示する（ステップＳ１１４）。これにより、ユーザは、自己の手首の周長の値を認識することができる。なお、ユーザ端末１０の性能に応じて、精度良くユーザの手首の周長を算出できるものであればよく、撮影の回数は２回に限られるものではない。
【００６６】
サーバ２０は、ユーザの手首の周長を取得した後、装着バンド１００の構成を決定するバンド構成決定処理を実行する（ステップＳ１４）。
【００６７】
図１０を参照して、第１の実施形態における、装着バンドの構成の決定について説明する。図１０は、第１の実施形態におけるバンド構成決定部による処理フローの一例を示すフローチャートである。
【００６８】
まず、バンド構成決定部２０ｄは、製品情報取得部２１により、ユーザが選択した腕時計本体の情報を取得し、製品情報格納部２００を参照して、バンド情報取得部２２によりユーザが選択した腕時計本体に対応する装着バンド１００の情報を取得する（ステップＳ１４１）。例えば、図８に示すステップＳ５においてユーザが選択した腕時計本体の型が「ＡＡＸＸ−ＹＹ」であった場合、バンド情報取得部２２は、型「ＲＲＸＸ−ＹＹ」の装着バンドに関する情報を取得する。
【００６９】
さらに、バンド構成決定部２０ｄは、推奨バンド周長取得部２４により、推奨される装着バンドの周長（以下、推奨バンド周長という）を取得する（ステップＳ１４２）。推奨バンド周長Ｈは、図８に示すステップＳ１２においてユーザ端末１０から送信されたユーザの手首の周長がＡ［ｃｍ］であった場合、例えば、下記数２で示す式に基づいて算出されるとよい。
【００７０】
【数２】
2020177462.tif 000004
【００７１】
αは、０．０１〜０．１程度の定数であるとよい。例えば、α＝０．１とすると、推奨バンド周長Ｈは、手首の周長Ａの１．１倍の長さとなる。なお、手首の周長Ａと、推奨バンド周長Ｈとの関係は、ここで示したものに限られるものではない。推奨バンド周長Ｈは、手首の周長Ａよりも若干大きい値であるとよい。例えば、推奨バンド周長Ｈは、手首の周長Ａに、所定の値を加算したものであっても構わない。また、推奨バンド周長Ｈは、ユーザの身体的特徴を反映したものであってもよい。例えば、推奨バンド周長Ｈを、ユーザの人差し指の太さ分、手首の周長Ａよりも長い値とするとよい。この場合、例えば、図８に示すステップＳ１１において、ユーザの手首の周長を自動計測する際に、合わせてユーザの人差し指の寸法（周長）を取得し、推奨バンド周長Ｈの算出に反映させるとよい。
【００７２】
さらに、バンド構成決定部２０ｄは、抽出部２５により、装着バンド１００に用いられる駒６０の数ｎの候補を少なくとも１以上抽出する。抽出部２５は、第１のバンド部１０１に対する中留７０の重なり量を最大にした場合の装着バンドの周長Ｗ（ｎ、ｍ＝１）と、第１のバンド部１０１に対する中留７０の重なり量を最小にした場合の装着バンドの周長Ｗ（ｎ、ｍ＝ｍａｘ）と、推奨バンド周長Ｈとを比較することにより、駒６０の数ｎの候補を抽出する。なお、図４で示した腕時計１０００においては、ｍａｘ＝４である。
【００７３】
具体的には、抽出部２５は、中留７０において、装着バンドの周長Ｗが最も短くなる調整穴位置Ｈｍに設定した場合における装着バンドの周長Ｗ（ｎ、ｍ＝１）が、推奨バンド周長Ｈよりも短く、かつ、装着バンドの周長Ｗが最も長くなる調整穴位置Ｈｍに設定した場合における装着バンドの周長Ｗ（ｎ、ｍ＝ｍａｘ＝４）が、推奨バンド周長Ｈよりも長くなる、駒の数ｎを抽出する（ステップＳ１４３）。
【００７４】
抽出部２５により抽出された駒６０の数ｎの候補が１つであった場合（ステップＳ１４４のＹＥＳ）、決定部２６は、装着バンドの周長Ｗ（ｎ、ｍ）が、最も推奨バンド周長Ｈに近くなるｍを選択する（ステップＳ１４５）。
【００７５】
抽出部２５により抽出された駒の数ｎの候補が複数であった場合（ステップＳ１４４のＮＯ）、決定部２６は、抽出されたｎのうち最大のｎを選択する（ステップＳ１４６）。例えば、抽出部２５により抽出された駒の数ｎが、１０及び１１であった場合、決定部２６は、ｎ＝１１を選択する。そして、推奨バンド周長Ｈ≦装着バンドの周長Ｗ（ｎ、ｍ）を満たし、かつ、装着バンドの周長Ｗ（ｎ、ｍ）が、最も推奨バンド周長Ｈに近くなるｍを選択する（ステップＳ１４７）。
【００７６】
なお、抽出されたｎのうち最大のｎを選択する理由は、ユーザの手首の周長に適した駒６０の数のうち、装着バンド１００の周長が最も長くなる駒６０の数を用いることにより、ユーザの手首に装着不可となることを避けるためである。
【００７７】
なお、ステップＳ１４５、Ｓ１４７において、装着バンドの周長Ｗ（ｎ、ｍ）が最も推奨バンド周長Ｈに近くなるｍを選択するという処理を行う例について説明したが、これは必須ではない。すなわち、バンド構成決定部２０ｄの処理においては、装着バンド１００の周長が最も短くなるｍ＝１を基本として構成を決定し、中留７０の調整は行わなくてもよい。
【００７８】
以上のような手順により、バンド構成決定部２０ｄにより、ユーザの手首の周長に適した装着バンド１００の構成が決定される。
【００７９】
さらに、図８に戻って、第１の実施形態における腕時計の購入のフローについての説明を続ける。
【００８０】
ステップＳ１４において、装着バンド１００の構成が決定した後、サーバ２０は、在庫情報格納部３１を参照して、決定された構成の装着バンド１００が取り付けられる腕時計の在庫の有無を確認する（ステップＳ１５）。この際、サーバ２０は、決定された構成の装着バンド１００が取り付けられる腕時計の在庫が０であった場合、決定された構成の装着バンドが取り付けられる腕時計の組み立てに要する時間を取得するとよい。なお、腕時計の組み立てとは、駒６０を加える、駒６０を外す、中留７０の調整穴位置Ｈｍを調整すること等である。
【００８１】
そして、サーバ２０は、在庫の有無、組み立てに要する時間に基づいて、腕時計１０００の納期を算出する（ステップＳ１５）。また、サーバ２０は、在庫が０であった場合等、特注品として腕時計１０００を組み立てることが必要である場合、費用の見積もりを算出するとよい。
【００８２】
サーバ２０は、算出した納期と見積を、ユーザ端末１０に送信する（ステップＳ１６）。ユーザ端末１０は、納期と見積を受信し、表示部１０ｅに表示する（ステップＳ１７）。ユーザは、表示部１０ｅに表示された納期と見積を確認し、注文を行うか否かを選択する。ユーザが操作部１０ｄを操作することにより、注文しないことを選択した場合（ステップＳ１８のＮＯ）、ユーザ端末１０は、再び注文ページを表示部１０ｅに表示する（ステップＳ４）。
【００８３】
ユーザが操作部１０ｄを操作することにより、注文することを選択した場合（ステップＳ１８のＹＥＳ）、ユーザ端末１０は、サーバ２０に注文申し込みを送信する（ステップＳ１９）。
【００８４】
注文申し込みを受信したサーバ２０は、認証処理を行い（ステップＳ２０）、認証結果をユーザ端末１０に送信する（ステップＳ２１）。ユーザ端末１０は、認証結果を表示部１０ｅに表示する（ステップＳ２２）。認証ＯＫであった場合（ステップＳ２３のＹＥＳ）、腕時計１０００の注文の完了を表示部１０ｅに表示するとよい。認証ＮＧであった場合（ステップＳ２３のＮＯ）、ユーザ端末１０は、再び注文ページを表示部１０ｅに表示する（ステップＳ４）。
【００８５】
さらに、サーバ２０は、注文の完了を受信し（ステップＳ２５）、出荷指示部２０ｅにより、バンド構成決定部２０ｄが決定した構成の装着バンド１００が取り付けられる腕時計１０００の出荷の指示を、在庫管理システム３０に対して行う（ステップＳ２６）。出荷指示を受けた在庫管理システム３０は、注文された型の腕時計１０００の出荷、配送を手配する処理を行うとよい。
【００８６】
以上説明したバンド構成決定システム１においては、ユーザの手首の周長に適した装着バンド１００の構成を決定することができる。また、バンド構成決定システム１を用いることにより、ユーザ自身で駒６０の数を変更する等の作業が困難である装着バンド１００が取り付けられる腕時計１０００を、店舗に出向くことなく、オンライン販売等を利用して容易に購入することが可能となる。すなわち、腕時計１０００を購入するユーザの利便性が向上する。
【００８７】
次に、図１１、図１２を参照して、第１の実施形態の変形例について説明する。図１１は、第１の実施形態の変形例におけるバンド構成決定部による処理フローの一例を示すフローチャートである。図１２は、腕時計を装着したユーザの左手首を示す図である。図１２（ａ）は、ユーザの手の甲側から見た様子を示しており、図１２（ｂ）は、ユーザの手のひら側から見た様子を示している。図１２（ｃ）は、ユーザの手首を横から見た様子を示している。
【００８８】
なお、本変形例における腕時計の購入のフローは、バンド構成決定の処理を除いて図８で示したものと略同じであるため、その説明の詳細は省略する。また、図１０で示した処理と同じ処理については同じ符号を用いて、その説明の詳細は省略する。
【００８９】
ここで、装着バンド１００は、ユーザの手首に巻き付かれて装着されるものであるが、その構成によっては、ユーザの手首の周方向に回転してしまう場合がある。装着性の観点から、ユーザの手首に対する腕時計本体の位置はできるだけ固定されている方が好ましい。
【００９０】
例えば、腕時計本体の幅Ｌａが、ユーザの手首の厚みＢと比較して小さい場合、装着バンド１００を装着した状態において、腕時計本体が手首の周方向に回転移動しやすくなってしまう。同様に、中留７０の幅Ｌｂが、ユーザの手首の厚みＢと比較して小さい場合、装着バンド１００を装着した状態において、中留７０が手首の周方向に回転移動しやすくなってしまう。腕時計本体と中留７０の少なくとも一方の幅が、ユーザの手首の厚みＢよりも大きければ、このような問題は生じにくくなる。そこで、本変形例においては、腕時計本体の幅Ｌａとユーザの手首の厚みＢとを比較し、かつ、中留７０の幅Ｌｂとユーザの手首の厚みＢとを比較し、それに応じて、中留７０を決定、変更することとした。
【００９１】
まず、本変形例においては、図８のステップＳ１０又はＳ１１において、寸法取得部２３が、少なくとも、ユーザの手首の周長Ａと、ユーザの手首の厚みＢを取得する。なお、ユーザの手首の厚みＢとは、図１２に示すように、装着バンド１００が装着された状態において、腕時計本体のケース５０及び中留７０が配置される部位の幅である。
【００９２】
バンド構成決定部２０ｄは、製品情報取得部２１により、ユーザが選択した腕時計１０００の情報を取得し、製品情報格納部２００を参照して、バンド情報取得部２２によりユーザが選択した腕時計１０００に対応する装着バンド１００の情報を取得する（ステップＳ１４１）。例えば、図８に示すステップＳ５においてユーザが選択した腕時計本体の型が「ＡＡＸＸ−ＹＹ」であった場合、バンド情報取得部２２は、型「ＲＲＸＸ−ＹＹ」の装着バンドの情報を取得する。
【００９３】
次に、バンド構成決定部２０ｄは、腕時計本体の幅Ｌａがユーザの手首の厚みＢよりも小さく、かつ、中留７０の幅Ｌｂがユーザの手首の厚みＢよりも小さいとの条件を満たすか否かについて判定する（ステップＳ１４１１）。Ｌａ＜Ｂ、かつＬｂ＜Ｂを満たす場合、バンド構成決定部２０ｄは、中留７０を変更する処理を行う。具体的には、装着バンド１００に用いる中留７０を、ユーザの手首の厚みＢよりも幅の大きい中留７０に変更する（ステップＳ１４１２）。なお、図１２においては、Ｌａ＜Ｂ、かつＬｂ＜Ｂである腕時計を示している。すなわち、図１２に示す腕時計においては、中留７０が幅の大きなものに変更される。それにより、装着バンド１００が装着された状態において、中留７０が回転移動することを抑制したバンド構成とすることができる。なお、Ｌｂ＞Ｂである中留７０に変更するものに限られるものではなく、少なくとも変更前の中留の幅よりも大きい幅の中留に変更するものであればよい。また、変更前の中留と変更後の中留とは、その型が同じであってサイズが異なるものであってもよいし、型自体が異なるものであってもよい。すなわち、変更前と異なる形状の中留に変更することとしても構わない。
【００９４】
また、中留７０を変更した場合、製品情報格納部２００の情報を更新するとよい。具体的には、変更後の中留７０の型を、装着バンド１００の型と対応付けて記憶するとよい。そして、バンド構成決定部２０ｄは、変更後の中留７０における連結位置間隔Ｌｐｍに基づいて、上述のステップＳ１４２〜Ｓ１４７を行うことで、装着バンド１００の周長Ｗを決定するとよい。
【００９５】
次に、図１３〜図１７を参照して、第２の実施形態について説明する。第２の実施形態においては、ケース２５０（先カン２５１、２５２）に取り付けられる第１のバンド部２０１及び第２のバンド部２０２が革製である装着バンドを例に挙げて説明する（図１７等参照）。なお、装着バンドは革製に限られるものではなく、樹脂製などであっても構わない。
【００９６】
図１３は、第２の実施形態におけるバンド構成決定部が実現する機能を示すブロック図である。なお、図３で示した構成と同様の構成については、同じ符号を用いて、その説明の詳細は省略する。
【００９７】
図１３に示すように、第２の実施形態において、バンド構成決定部２２０ｄは、孔位置取得部２８を含んでいる。孔位置取得部２８は、推奨バンド周長取得部２４が取得した推奨バンド周長Ｈと、ユーザが選択した腕時計本体の取り付け位置の間隔Ｌｐａと、第２のバンド部２０２の長さとに基づいて、装着バンド１００の周長方向における第１のバンド部２０１に形成される留め孔の位置を取得する。そして、決定部２６が、孔位置取得部２８が取得した留め孔の位置に基づいて、装着バンドの構成を決定する。
【００９８】
図１４は、第２の実施形態における腕時計の購入の一例を説明するフローチャートである。なお、図８で示した処理と同様の処理については、同じ符号を用いて、その説明の詳細は省略する。
【００９９】
第１の実施形態と同様に、ユーザ端末１０は、手動による手首の周長の入力を受け付けた後、又は自動計測により算出された手首の周長を受け付けた後、サーバ２０に対して、ユーザの手首の周長を送信する（ステップＳ１２）。サーバ２０は、ユーザの手首の周長を取得した後、装着バンドの構成のデザインの変更の可否を判定する（ステップＳ３２４）。例えば、ユーザが選択した腕時計本体に対応する装着バンドが、デザイン変更可能なものであれば（ステップＳ３２４のＹＥＳ）、サーバ２０は、デザイン画を作成し、ユーザ端末１０に対して送信する（ステップＳ３２５）。なお、デザイン変更可能か否かは、装着バンドの型毎に予め決められているとよい。
【０１００】
ユーザ端末１０は、サーバ２０から送信されたデザイン画を受信し、表示部１０ｅに表示する（ステップＳ３２６）。ユーザ端末１０は、ユーザが操作部１０ｄすることにより選択したデザインの変更内容を受け付け（ステップＳ３２７）、受け付けた変更内容をサーバ２０に対して送信する。
【０１０１】
図１５は、ユーザ端末の表示部に表示されるデザイン画の一例を示す図である。表示部１０ｅは、図１５に示すように、予め用意された複数のバンドデザインを表示するとよい。そして、ユーザは、操作部１０ｄを操作することにより、好みのバンドデザインを選択するとよい。第２の実施形態において、バンドデザインは、留め孔の位置間隔、留め孔の数、留め孔の並び方等によって規定されるものであるとよい。
【０１０２】
図１５に示す例においては、留め孔の位置に基づいてデザインされた革バンドを４種類示している。例えば、ユーザが選択したデザインの革バンドが、表示部１０ｅの最も左に表示されるとよい。図１５においては、標準的なデザインの革バンドがユーザにより選択された様子を示している。なお、ここで、標準的なデザインとは、複数の留め孔の間隔が等間隔であり、複数の留め孔が直線的に並べられたものとする。
【０１０３】
また、バンドデザインは、予め用意されたものに限られず、ユーザが操作部１０ｄを操作することにより自由に形成できるものであってもよい。図１６は、ユーザがバンドデザインを形成する様子を示している。
【０１０４】
具体的には、図１６においては、ユーザが、表示部１０ｅに表示された第１のバンド部２０１を自己の指でなぞることにより、留め孔が略Ｓ字型に配置されるデザインを形成する様子が示されている。また、図１６の右側の図においては、ユーザが形成したデザインに基づいて、留め孔の数、及び間隔が異なる３種類のバンドデザインが形成され、表示部１０ｅに表示された様子が示されている。ユーザは、操作部１０ｄを操作することにより、これら３種類のいずれかを選択するとよい。
【０１０５】
サーバ２０は、ユーザ端末１０から送信されたバンドデザインの変更内容を受信する（ステップＳ３２８）。サーバ２０は、バンド構成決定部２２０ｄにより、バンドデザインの変更内容を受信した場合は、その変更後のバンドデザインに基づいて装着バンドの構成を決定し、デザインの変更内容を受信しない場合は、標準的なデザインに基づいて装着バンドの構成を決定する（ステップＳ３２９）。
【０１０６】
ここで、図１７、図１８を参照して、第２の実施形態における、バンド構成決定部２２０ｄによる、装着バンドの構成の決定について説明する。図１７、図１８は、第２の実施形態おける装着バンドの構成の例を示す図である。なお、図１７においては、デザインの変更がない場合における、装着バンドの構成の例を示している。すなわち、標準的なデザインの装着バンドを示している。一方、図１８においては、デザインの変更がある場合における、装着バンドの構成の例を示している。具体的には、留め孔が略Ｓ字状に配置されるようにデザイン変更がされた場合の装着バンドの構成の例を示している。
【０１０７】
第２の実施形態においては、上述のように、孔位置取得部２８が、装着バンド１００の周長方向における第１のバンド部２０１に形成される留め孔の位置を取得する。孔位置取得部２８は、１つの留め孔の位置を取得するとよい。ここで、孔位置取得部２８が取得する留め孔の位置を位置Ｓとする。
【０１０８】
図１７に示すように、装着バンドの第１のバンド部２０１には留め孔が形成されており、第２のバンド部２０２の先端には、留めピン８１、尾錠８２を含む留め具が取り付けられている。第２の実施形態の装着バンドは、留めピン８１が、位置Ｓに形成される留め孔に挿通された状態において、ユーザの手首に適した周長となるとよい。位置Ｓ以外の位置に形成される留め孔は、周長の調整用として用いられてもよいし、デザイン性を向上するために形成されるものであってもよい。
【０１０９】
第２の実施形態の装着バンドの周長は、図１７に示すように、尾錠８２の内側端面から、位置Ｓに形成される留め孔までの長さによって規定されるとよい。なお、図１７においては、周長Ｗ１、周長Ｗ２、及び周長Ｗ３（Ｗ１＞Ｗ２＞Ｗ３）の装着バンドがそれぞれ示されているが、第１のバンド部２０１及び第２のバンド部２０２の長さ自体はそれぞれ同じである。
【０１１０】
また、図１８に示すように、デザインの変更がある場合においても、孔位置取得部２８が、装着バンド１００の周長方向における第１のバンド部２０１に形成される留め孔の位置Ｓを取得する。また、孔位置取得部２８は、ユーザ端末１０から送信された変更後のデザインに基づいて、位置Ｓ以外の位置に形成される留め孔の位置を取得する。そして、決定部２６が、孔位置取得部２８が取得した位置Ｓに形成される留め孔と、位置Ｓ以外の位置に形成される留め孔とに基づいて、装着バンドの構成を決定するとよい。
【０１１１】
また、第２の実施形態においては、在庫管理システム３０の在庫情報格納部３１が、腕時計の構成毎の在庫数を記憶しているとよい。具体的には、在庫情報格納部３１は、標準的なデザインの装着バンドが取り付けられる腕時計を、位置Ｓに形成される留め孔の位置毎に管理番号を対応付けて、管理番号毎に在庫数を記憶しているとよい。
【０１１２】
第２の実施形態においては、出荷指示部２０ｅにより、在庫数が０の腕時計の出荷が指示された場合は、出荷指示を受けた後、装着バンドを生産するとよい。具体的には、留め孔が形成されていない第１のバンド部２０１に対して、バンド構成決定部２２０ｄが決定した構成に応じて、留め孔をプレス形成するとよい。当該プレス形成は、出荷指示に基づいて、例えば、工場の生産ライン等において自動で行われるとよい。
【０１１３】
第２の実施形態においては、ユーザの手首の寸法に適した周長を有し、かつユーザの好みに応じたデザインの装着バンドを提供することができる。また、バンド構成を決定した後、留め孔を形成することにより、手首の周長が平均的な周長よりも長い又は短いユーザに対しても、装着性の高い装着バンドを提供することができる。また、男性が女性用の腕時計を購入する場合や、女性が男性用の腕時計を購入する場合においても、装着性の高い装着バンドを提供することができる。
【０１１４】
また、第２の実施形態においては、留め孔が形成される間隔や、留め孔が形成される領域の幅（バンドの一端側に形成される留め孔と、他端側に形成される留め孔との距離）などを、ユーザが指定できることとしてもよい。例えば、手首の周長の短いユーザにおいては、装着バンドの周長を微調整できるように、留め孔が形成される間隔を狭くすることを指定するとよい。
【０１１５】
また、第２の実施形態において、第２のバンド部２０２は長さの異なる複数の種類が用意されていてもよい。そして、バンド構成決定部２２０ｄが、推奨バンド周長取得部２４が取得した推奨バンド周長Ｈと、ユーザが選択した腕時計本体の取り付け位置の間隔Ｌｐａとに基づいて、第２のバンド部２０２の長さを決定するとよい。そして、決定部２６が、バンド構成決定部２２０ｄが決定した第２のバンド部２０２の長さに基づいて、装着バンドの構成を決定するとよい。この場合、第１のバンド部２０１における留め孔の位置Ｓは固定であり、第２のバンド部２０２の長さにより装着バンドの周長Ｗが規定されるものであるとよい。または、決定された第２のバンド部２０２の長さに応じて、孔位置取得部２８が第１のバンド部２０１における留め孔の位置Ｓを取得することとしてもよい。この場合、在庫情報格納部３１は、第２のバンド部２０２の長さ毎に管理番号を対応付けて、管理番号毎に在庫数を記憶していているとよい。
【０１１６】
なお、上記各実施形態においては、腕時計１０００を例に挙げて説明したがこれに限られるものではない。例えば、ユーザの腕に装着される装着バンドが取り付けられる、時計機能を有しない万歩計（登録商標）などであっても構わない。
【０１１７】
また、上記各実施形態においては、インターネットを介したオンライン販売を例に挙げて説明したが、これに限られるものではない。例えば、ユーザが店舗で腕時計１０００を購入する場合に、バンド構成決定システム１を利用してもよい。この場合、サーバ２０や在庫管理システム３０が店舗に設けられているとよい。また、ユーザがユーザ端末１０を所有していない場合、店舗に置いてある端末を使用してもよい。
【０１１８】
また、第１の実施形態、その変形例、及び第２の実施形態の構成は適宜組み合わせてもよい。例えば、サーバ２０が、抽出部２５と孔位置取得部２８の双方を含み、ユーザが選択した腕時計本体に対応する装着バンドがメタルバンドか革バンドかのいずれであるかを判定し、判定結果に基づいて、図８で示した処理又は図１４で示した処理のいずれかを実行するとよい。また、腕時計本体に対応する装着バンドがメタルバンドと革バンドの双方であって、一方を装着した状態で、他方を付属品として、ユーザに提供することとしてもよい。その場合、メタルバンド及び革バンドの双方において、バンド構成決定部２２ｄ，２２０ｄによる構成の決定がなされたものを提供するとよい。
【０１１９】
なお、上記各実施形態においては、ユーザが選択した腕時計本体の型を製品情報取得部２１が取得する例について説明したが、これに限られるものではなく、少なくともケース５０の間隔Ｌｐａを含む製品情報を取得するものであればよい。すなわち、ユーザが、注文ページにおいて、まずケース５０の型を選択することとしてもよい。また、選択したケース５０に対応する装着バンド１００は複数種類用意されていてもよい。そして、ユーザは、注文ページにおいて、複数種類の装着バンド１００からいずれかを選択するとよい。また、中留７０も複数種類用意されており、ユーザが選択できることとしてもよい。このように、組みあわせの自由度を高くすることにより、ユーザの好みに合った腕時計を提供することが可能となる。
【０１２０】
また、革バンドにおいて、腕時計本体の幅Ｌａがユーザの手首の厚みＢよりも小さい場合、図１７等で示した留めピン８１、尾錠８２を含む留め具を、装着バンドの周長方向における幅が大きい所謂Ｄバックル（Deployment Buckle）に変更することとしてもよい。
【０１２１】
以上、本発明に係る実施形態について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【符号の説明】
【０１２２】
１  バンド構成決定システム、１０  ユーザ端末、１０ａ  制御部、１０ｂ  記憶部、１０ｃ  通信部、１０ｄ  操作部、１０ｅ  表示部、２０  サーバ、２０ａ  制御部、２０ｂ  記憶部、２０ｃ  通信部、２０ｄ，２２０ｄ  バンド構成決定部、２０ｅ  出荷指示部、２１  製品情報取得部、２２  バンド情報取得部、２３  寸法取得部、２４  推奨バンド周長取得部、２５  抽出部、２６  決定部、２８  孔位置取得部、３０  在庫管理システム、３１  在庫情報格納部、５０  ケース、５１，５２  先カン、６０，６２  駒、６１  エンドピース、７０  中留、８１  留めピン、８２  尾錠、１００  装着バンド、１０１，２０１  第１のバンド部、１０２，２０２  第２のバンド部、２００  製品情報格納部、１０００  腕時計、Ｎ  ネットワーク。
【図１】
2020177462.tif 000005
【図２】
2020177462.tif 000006
【図３】
2020177462.tif 000007
【図４】
2020177462.tif 000008
【図５】
2020177462.tif 000009
【図６】
2020177462.tif 000010
【図７】
2020177462.tif 000011
【図８】
2020177462.tif 000012
【図９】
2020177462.tif 000013
【図１０】
2020177462.tif 000014
【図１１】
2020177462.tif 000015
【図１２】
2020177462.tif 000016
【図１３】
2020177462.tif 000017
【図１４】
2020177462.tif 000018
【図１５】
2020177462.tif 000019
【図１６】
2020177462.tif 000020
【図１７】
2020177462.tif 000021
【図１８】
2020177462.tif 000022